(57)【要約】【課題】設定状態にあった監視電圧で電源電圧の異常を適切に監視することができる電圧監視回路を提供すること。【解決手段】電源電圧を監視する電圧監視回路３１において、各々に異なる監視電圧が設定され、監視電圧に基づいて電源電圧を監視して正常か否かの信号を出力する第１、第２の電圧検知手段３４、３５と、監視電圧の設定を切り替えるための監視電圧設定切替手段１２と、監視電圧設定切替手段１２の状態を検知する設定状態検知手段３７と、設定状態検知手段３７により検知された監視電圧設定切替手段１２の状態に基づいて、その状態に対応する監視電圧が設定された第１、第２電圧検知手段３４、３５を選択するように切り替える電圧検知手段切替手段３６とを装備する。【選択図】  図１
2005030818.tif 000002
【特許請求の範囲】
【請求項１】
電源電圧を監視する電圧監視回路において、
各々に異なる監視電圧が設定され、該監視電圧に基づいて前記電源電圧を監視して正常か否かの信号を出力する複数の電圧検知手段と、
監視電圧の設定を切り替えるための監視電圧設定切替手段と、
該監視電圧設定切替手段の状態を検知する設定状態検知手段と、
該設定状態検知手段により検知された前記監視電圧設定切替手段の状態に基づいて、該状態に対応する監視電圧が設定された電圧検知手段を選択するように切り替える電圧検知手段切替手段とを備えていることを特徴とする電圧監視回路。
【請求項２】
前記電圧検知手段が、前記電源電圧を分圧する分圧抵抗と、該分圧抵抗による分圧値を所定の基準電圧と比較する比較手段とを含んで構成されていることを特徴とする請求項１記載の電圧監視回路。
【請求項３】
電源電圧を監視する電圧監視回路において、
異なる監視電圧の設定が可能で、これら監視電圧に基づいて前記電源電圧を監視して正常か否かの信号を出力する電圧検知手段と、
監視電圧の設定を切り替えるための監視電圧設定切替手段と、
該監視電圧設定切替手段の状態を検知する設定状態検知手段と、
該設定状態検知手段により検知された前記監視電圧設定切替手段の状態に基づいて、前記電圧検知手段の監視電圧を切り替える監視電圧切替手段とを備えていることを特徴とする電圧監視回路。
【請求項４】
前記電圧検知手段が、前記電源電圧を分圧するとともに監視電圧を変えるための分圧抵抗と、該分圧抵抗による分圧値を所定の基準電圧と比較する比較手段とを含んで構成され、
前記監視電圧切替手段が、前記分圧抵抗の抵抗値を切り替えるものであることを特徴とする請求項３記載の電圧監視回路。
【請求項５】
前記電圧検知手段が、動作電圧が異なる複数の動作モードを有するマイクロコンピュータへ供給される電源電圧の監視を行うものであり、
前記監視電圧が、前記複数の動作モードに対応して設定されていることを特徴とする請求項１〜４のいずれかの項に記載の電圧監視回路。
【請求項６】
前記監視電圧が、前記マイクロコンピュータの通常動作を行う通常動作モードと、前記マイクロコンピュータに内蔵された書き換え可能な記憶手段のデータ書き換え動作を行う書換動作モードとに対応して設定されていることを特徴とする請求項５記載の電圧監視回路。
【請求項７】
前記電圧検知手段が、前記マイクロコンピュータをリセットさせるリセット信号を出力するリセット信号出力手段に接続されていることを特徴とする請求項５又は請求項６記載の電圧監視回路。
【発明の詳細な説明】
【０００１】
【発明の属する技術分野】
本発明は電圧監視回路に関し、より詳細にはマイクロコンピュータ（以下、マイコンと記す）などに供給される電源電圧等を監視する電圧監視回路に関する。
【０００２】
【従来の技術】
図５は、従来の自動車用電子機器、例えばエンジン制御システムにおけるマイコン周辺部分の概略構成を示すブロック図である。
図中１００はマイコンを示しており、マイコン１００には、バッテリＢＡＴＴからの電力を所定電圧に定電圧化して出力する電源回路２０と、マイコン１００の異常を監視するマイコン監視装置３００とが接続されている。
【０００３】
マイコン監視装置３００は、電圧監視部３１０と、ウォッチドックタイマ（ＷＤＴ）監視部３２と、リセット信号出力部３３とを含んで構成されている。
電圧監視部３１０は、電源回路２０の出力電圧（マイコン１００へ供給される電源電圧）を電圧モニタラインＬ１を介して取り込み、電源回路２０の出力電圧の異常、例えば、前記出力電圧が所定値以下に低下したことを検出すると、異常検知信号をリセット信号出力部３３へ出力するようになっている。
【０００４】
ＷＤＴ監視部３２は、マイコン１００から周期的に出力されるウォッチドッククロック信号（ＷＤＣ信号）をＷＤＴモニタラインＬ２を介して取り込み、所定時間内に正常なパルス数をカウントできなかった場合など、マイコン１００が暴走した可能性がある場合に異常検知信号をリセット信号出力部３３へ出力するようになっている。
【０００５】
リセット信号出力部３３は、電圧監視部３１０からの異常検知信号、及び／又はＷＤＴ監視部３２からの異常検知信号を検出すると、リセット信号ラインＬ３を介してリセット（ＲＥＳＥＴ）信号をマイコン１００へ出力し、マイコン１００をリセットさせる。このリセットにより、マイコン１００は、電圧低下時や、電気的ノイズなどの影響により暴走したときでも正常状態に復帰することができるようになっている。
【０００６】
従来のマイコン監視装置３００は、異常を判定するための値（ＷＤＣ信号のパルス間隔や電圧低下を判定する電圧値）が予め設定されているものであるが（特許文献１参照）、下記の特許文献２には、異常を判定するためのこれらの値を、温度等の影響を考慮して、その時点時点で動的に変動させることにより、異常判定値の余裕をできるだけ少なくし、無闇にリセット動作がかかることを防止することのできるリセット回路が開示されている。
【０００７】
【特許文献１】
特開平５−２６５５９５号公報
【特許文献２】
特開平７−２３４８０６号公報
【０００８】
【発明が解決しようとする課題】
近年、車両のエンジン制御システムにおいては、サービス工場などにおいてもマイコン内部のＲＯＭの書換が要求されるようになってきており、マイコンでは、内部ＲＯＭのフラッシュ化が進んでいる。そのため、マイコンの動作モードには、通常時に対応する通常動作モードの他に、マイコン内部のフラッシュＲＯＭの書換時に対応する書換動作モードを有するものが多くなってきている。
【０００９】
マイコン内部のフラッシュＲＯＭの書き換え時には、通常動作時よりも高い動作電圧が必要となるため、書換動作モードでは、通常動作モードよりも最低動作電圧が高くなる。例えば、エンジン制御システムにおいて、通常動作のためのマイコンの最低動作電圧は、約３．５Ｖ程度であるのに対して、書換動作のためのマイコンの最低動作電圧は、約４．５Ｖ程度である。
【００１０】
しかしながら、従来の電圧監視部３１０では、マイコン１００が動作電圧の異なる複数の動作モードを有するものであったとした場合でも、マイコン１００へ供給される電源電圧の低下を検知するレベル（すなわち、リセットレベル）は、マイコン１００の動作モードによらず固定されていた。
【００１１】
すなわち、いずれの動作モードにおいてもマイコン１００が正常に動作することを保証するため、最低動作電圧の高い動作モードに合わせて、リセットレベルが設定されるようになっていた。
【００１２】
そのため、通常動作モードと書換動作モードとを有するマイコンに対しては、書換動作モードの最低動作電圧（例えば、４．５Ｖ）が考慮されたリセットレベル（例えば、４．７Ｖ）が設定されることとなり、マイコンの通常時における動作には支障のない電圧レベル（３．５Ｖ〜４．７Ｖ）でも、リセット信号がマイコンに出力されて、マイコンがリセットされるため、各種の処理が遅れてしまう（例えば、冷寒時でのエンジン始動時など電源電圧が瞬間的に大きく低下する場合においては、エンジンの始動性が悪化してしまう）といった課題があった。
【００１３】
本発明は上記課題に鑑みなされたものであって、設定状態にあった監視電圧で電源電圧の異常を適切に監視することができ、マイコンが有する各種動作モードに対応した監視電圧でマイコンへ供給される電源電圧の異常を適切に監視することができ、また、マイコンへの無駄なリセット出力をなくして、マイコンが行う各種制御の遅れを防止することのできる電圧監視回路を提供することを目的としている。
【００１４】
【課題を解決するための手段及びその効果】
上記目的を達成するために本発明に係る電圧監視回路（１）は、電源電圧を監視する電圧監視回路において、各々に異なる監視電圧が設定され、該監視電圧に基づいて前記電源電圧を監視して正常か否かの信号を出力する複数の電圧検知手段と、監視電圧の設定を切り替えるための監視電圧設定切替手段と、該監視電圧設定切替手段の状態を検知する設定状態検知手段と、該設定状態検知手段により検知された前記監視電圧設定切替手段の状態に基づいて、該状態に対応する監視電圧が設定された電圧検知手段を選択するように切り替える電圧検知手段切替手段とを備えていることを特徴としている。
【００１５】
上記電圧監視回路（１）によれば、前記設定状態検知手段により検知された前記監視電圧設定切替手段の状態に基づいて、該状態に対応する監視電圧が設定された電圧検知手段を選択するように切り替えられるので、前記監視電圧設定切替手段の状態に応じた監視電圧で前記電源電圧の異常を監視することができ、他の設定状態における監視電圧の影響を受けることなく適正な監視電圧で電源電圧の異常を監視することができる。
【００１６】
また本発明に係る電圧監視回路（２）は、上記電圧監視回路（１）において、前記電圧検知手段が、前記電源電圧を分圧する分圧抵抗と、該分圧抵抗による分圧値を所定の基準電圧と比較する比較手段とを含んで構成されていることを特徴としている。
上記電圧監視回路（２）によれば、前記電圧検知手段をごく簡単な回路素子により構成することができ、装置構成を簡略化できる。
【００１７】
また本発明に係る電圧監視回路（３）は、電源電圧を監視する電圧監視回路において、異なる監視電圧の設定が可能で、これら監視電圧に基づいて前記電源電圧を監視して正常か否かの信号を出力する電圧検知手段と、監視電圧の設定を切り替えるための監視電圧設定切替手段と、該監視電圧設定切替手段の状態を検知する設定状態検知手段と、該設定状態検知手段により検知された前記監視電圧設定切替手段の状態に基づいて、前記電圧検知手段の監視電圧を切り替える監視電圧切替手段とを備えていることを特徴としている。
【００１８】
上記電圧監視回路（３）によれば、前記設定状態検知手段により検知された前記監視電圧設定切替手段の状態に基づいて、前記電圧検知手段の監視電圧が切り替えられるので、前記監視電圧設定切替手段の状態に応じた監視電圧で前記電源電圧の異常を監視することができ、他の設定状態における監視電圧の影響を受けることなく適正な監視電圧で電源電圧の異常を監視することができる。
【００１９】
また本発明に係る電圧監視回路（４）は、上記電圧監視回路（３）において、前記電圧検知手段が、前記電源電圧を分圧するとともに監視電圧を変えるための分圧抵抗と、該分圧抵抗による分圧値を所定の基準電圧と比較する比較手段とを含んで構成され、前記監視電圧切替手段が、前記分圧抵抗の抵抗値を切り替えるものであることを特徴としている。
【００２０】
上記電圧監視回路（４）によれば、前記分圧抵抗の抵抗値の切り替えにより、前記電圧検知手段での監視電圧の切替を行うことができる。したがって、部品数をさらに削減することができ、装置構成を一層簡略化することができる。
【００２１】
また本発明に係る電圧監視回路（５）は、上記電圧監視回路（１）〜（４）のいずれかにおいて、前記電圧検知手段が、動作電圧が異なる複数の動作モードを有するマイコンへ供給される電源電圧の監視を行うものであり、前記監視電圧が、前記複数の動作モードに対応して設定されていることを特徴としている。
【００２２】
上記電圧監視回路（５）によれば、前記マイコンが有する各動作モードに対応した監視電圧で前記マイコンへ供給される電源電圧の異常を監視することができ、他の動作モードの監視電圧の影響を受けることなく適切な監視電圧で電源電圧の異常を監視することができる。
【００２３】
また本発明に係る電圧監視回路（６）は、上記電圧監視回路（５）において、前記監視電圧が、前記マイコンの通常動作を行う通常動作モードと、前記マイコンに内蔵された書き換え可能な記憶手段のデータ書き換え動作を行う書換動作モードとに対応して設定されていることを特徴としている。
【００２４】
上記電圧監視回路（６）によれば、前記監視電圧が、前記通常動作モードと前記書換動作モードとに対応して設定されているので、前記通常動作モードと前記書換動作モードとの動作電圧の違いが考慮された前記電源電圧の監視を行うことができる。すなわち前記通常動作モードにおいては、該通常動作モードに対応した電源電圧の監視を行うことができ、前記書換動作モードにおいては、該書換動作モードに対応した電源電圧の監視を行うことができる。
【００２５】
また本発明に係る電圧監視回路（７）は、上記電圧監視回路（５）又は（６）において、前記電圧検知手段が、前記マイコンをリセットさせるリセット信号を出力するリセット信号出力手段に接続されていることを特徴としている。
【００２６】
上記電圧監視回路（７）によれば、前記電圧検知手段から異常検知信号を前記リセット信号出力手段へ出力することができ、各動作モードにおける電源電圧の異常時に前記マイコンにリセットをかけることができる。したがって、各動作モードの正常状態へ自動的に復帰させることができる。また、他の動作モードの監視電圧の影響を受けないので、前記マイコンへの無駄なリセット出力をなくすことができ、前記マイコンが行う各種制御の遅れを防止することができる。
【００２７】
【発明の実施の形態】
以下、本発明に係る電圧監視回路の実施の形態を図面に基づいて説明する。図１は、実施の形態（１）に係る電圧監視回路が組み込まれたマイコン監視装置及びその周辺回路の構成を示したブロック図である。
【００２８】
図中１０はマイコンを示しており、マイコン１０には、バッテリＢＡＴＴからの電力を所定電圧に定電圧化して出力する電源回路２０と、マイコン１０の異常を監視するマイコン監視装置３０とが接続されている。
【００２９】
マイコン１０には、データの書き換え可能な記憶手段であるフラッシュＲＯＭ１１が内蔵されており、マイコン１０は、通常動作を行う通常動作モードと、フラッシュＲＯＭ１１の書き換え動作を行う書換動作モードとに設定されるように構成されている。なお本実施の形態では、通常動作モードでのマイコン１０の最低動作電圧が３．５Ｖ、書換動作モードでのマイコン１０の最低動作電圧が４．５Ｖに設定されているものとして以下の説明を行う。
【００３０】
また、これら動作モードは、動作モード設定切替スイッチ１２（監視電圧設定切替手段）を介して設定されるようになっている。動作モード設定切替スイッチ１２のＯＦＦ時には通常動作モードに設定され、ＯＮ時には書換動作モードに設定されるようになっており、ＯＮ又はＯＦＦの状態を示す信号がマイコン１０とマイコン監視装置３０とに出力されるようになっている。
【００３１】
マイコン監視装置３０は、電圧監視回路３１と、ＷＤＴ監視部３２と、リセット信号出力部３３とを含んで構成されている。
電圧監視回路３１は、通常動作モードでの電圧低下を検知する第１の電圧検知部３４と、書換動作モードでの電圧低下を検知する第２の電圧検知部３５と、電圧検知部切替手段３６（電圧検知手段切替手段）と、動作モード検知部３７（設定状態検知手段）と、動作モード設定切替スイッチ１２とを含んで構成されている。
【００３２】
動作モード検知部３７は、動作モード設定切替スイッチ１２のＯＮ／ＯＦＦの状態を検出し、動作モード検知信号を電圧検知部切替手段３６へ出力するようになっている。また、電圧検知部切替手段３６は、動作モード検知部３７により検知された動作モードに基づいて、該動作モードに対応する第１の電圧検知部３４又は第２の電圧検知部３５を選択するように切り替える切替スイッチ３６ａ（図２）を含んで構成されている。
【００３３】
電圧検知部切替手段３６は、動作モード検知部３７から出力された通常動作モード検知信号を検知すると、第１の電圧検知部３４で電圧監視を行うように切替スイッチ３６ａを切り替える一方、書換動作モード検知信号を検知すると、第２の電圧検出部３５で電圧監視を行うように切替スイッチ３６ａを切り替えるようになっている。
【００３４】
リセット信号出力部３３は、２入力が共にローレベル信号（Ｌ信号）である時にのみハイレベル信号（Ｈ信号）を出力するＮＯＲ回路３３ａを含んで構成されている。ＮＯＲ回路３３ａの入力端子１（入力１）には、電圧監視回路３１から出力される信号が入力され、ＮＯＲ回路３３ａの入力端子２（入力２）には、ＷＤＴ監視部３２から出力される信号が入力されるようになっている。
【００３５】
リセット信号出力部３３は、電圧監視回路３１からの異常検知信号（Ｈ信号）、及び／又はＷＤＴ監視部３２からの異常検知信号（Ｈ信号）を検出すると、リセット信号ラインＬ３を介してマイコン１０にリセット（ＲＥＳＥＴ）信号（Ｌ信号）を出力し、マイコン１０をリセットさせるようになっている。このリセットにより、マイコン１０は、電圧低下時や、電気的ノイズなどの影響により暴走したときでも正常状態に復帰することができるようになっている。
【００３６】
図２は、図１における電圧監視回路３１の第１、第２の電圧検知部３４、３５及び電圧検知部切替手段３６の回路構成をより具体的に示した回路図である。
第１の電圧検知部３４は、電圧モニタラインＬ１とアースとの間に直列に接続された分圧用の抵抗Ｒ１、Ｒ２と、比較器３８とを含んで構成されている。比較器３８の反転入力端子−は、抵抗Ｒ１、Ｒ２の接続点に接続されており、抵抗Ｒ１、Ｒ２により分圧された電圧が印加されるようになっている。一方、比較器３８の非反転入力端子＋は、基準電源ＶＲ１に接続されている。比較器３８の出力は、電圧検知部切替手段３６へ出力されるようになっている。第１の電圧検知部３４における電圧低下の判定レベル（リセットレベル）は、通常動作モードでの最低動作電圧（３．５Ｖ）より少し高め（３．７Ｖ程度）に設定されるようになっており、上記条件を満たすように抵抗Ｒ１、Ｒ２、及び基準電圧ＶＲ１が設定されている。
【００３７】
また第２の電圧検出部３５は、電圧モニタラインＬ１とアースとの間に直列に接続された分圧用の抵抗Ｒ３、Ｒ４と、比較器３９とを含んで構成されている。比較器３９の反転入力端子−は、抵抗Ｒ３、Ｒ４の接続点に接続されており、抵抗Ｒ３、Ｒ４により分圧された電圧が印加されるようになっている。一方、比較器３９の非反転入力端子＋は、基準電源ＶＲ２に接続されている。比較器３９の出力は、電圧検知部切替手段３６へ出力されるようになっている。第２の電圧検出部３５におけるリセットレベルは、書換動作モードでの最低動作電圧（４．５Ｖ）より少し高め（４．７Ｖ程度）に設定されるようになっており、上記条件を満たすように抵抗Ｒ３、Ｒ４、及び基準電圧ＶＲ２が設定されている。
【００３８】
次に、実施の形態（１）に係る電圧監視回路３１が組み込まれたマイコン監視装置３０における電圧監視動作を説明する。
まず、動作モード設定切替スイッチ１２のＯＦＦ時には、Ｈ信号がマイコン１０と動作モード検知部３７とに出力される。動作モード検知部３７は、前記Ｈ信号に基づいて通常動作モードであることを検知し、通常動作モード検知信号を電圧検知部切替手段３６へ出力する。
【００３９】
電圧検知部切替手段３６では、動作モード検知部３７からの通常動作モード検知信号に基づいて、切替スイッチ３６ａが第１の電圧検知部３４を選択するように切り替えられ、第１の電圧検知部３４でマイコン１０へ供給される電源電圧の監視が行われる。
【００４０】
第１の電圧検知部３４による電圧監視時には、抵抗Ｒ１、Ｒ２で分圧された電圧が比較器３８の反転入力端子−に入力される。比較器３８では、反転入力端子−に入力される分圧値と、非反転入力端子＋に入力される基準電圧ＶＲ１とが比較され、反転入力端子−に入力される分圧値が基準電圧ＶＲ１より大きい場合、マイコン１０へ供給される電源電圧がリセットレベル（３．７Ｖ）より大きい（正常である）ことを示すＬ信号がリセット信号出力部３３へ出力される。
【００４１】
リセット信号出力部３３では、ＮＯＲ回路３３ａの入力端子１に第１の電圧検知部３４からのＬ信号が入力されるので、ＮＯＲ回路３３ａの入力端子２にＷＤＴ監視部３２からのＬ信号（マイコン１０からＷＤＣ信号が正常に出力されている場合に出力される信号）が入力されると、ＮＯＲ回路３３ａから異常がないことを示すＨ信号が出力される。一方、ＮＯＲ回路３３ａの入力端子２にＷＤＴ監視部３２からのＨ信号（マイコン１０からＷＤＣ信号が正常に出力されていない場合に出力される信号）が入力されると、ＮＯＲ回路３３ａから異常があることを示すＬ信号（すなわちリセット信号）がマイコン１０へ出力される。
【００４２】
また一方、第１の電圧検知部３４の比較器３８の反転入力端子−に入力される分圧値が非反転入力端子＋に入力される基準電圧ＶＲ１以下である場合、比較器３８からは、マイコン１０へ供給される電源電圧がリセットレベル（３．７Ｖ）以下に低下した（異常である）ことを示すＨ信号がリセット信号出力部３３へ出力される。
【００４３】
リセット信号出力部３３では、ＮＯＲ回路３３ａの入力端子１に第１の電圧検知部３４からのＨ信号が入力されるので、ＮＯＲ回路３３ａの入力端子２に入力されるＷＤＴ監視部３２から出力される信号にかかわらず、ＮＯＲ回路３３ａからは、異常であることを示すＬ信号（すなわちリセット信号）がマイコン１０へ出力される。
【００４４】
動作モード設定切替スイッチ１２のＯＮ時には、Ｌ信号がマイコン１０と動作モード検知部３７とに出力される。動作モード検知部３７では、前記Ｌ信号に基づいて書換動作モードであることを検知し、書換動作モード検知信号を電圧検知部切替手段３６へ出力する。
【００４５】
電圧検知部切替手段３６では、動作モード検知部３７からの書換動作モード検知信号に基づいて、切替スイッチ３６ａが第２の電圧検出部３５を選択するように切り替えられ、第２の電圧検出部３５でマイコン１０へ供給される電源電圧の監視が行われる。
【００４６】
第２の電圧検出部３５による電圧監視時には、抵抗Ｒ３、Ｒ４で分圧された電圧が比較器３９の反転入力端子−に入力される。比較器３９では、反転入力端子−に入力される分圧値と、非反転入力端子＋に入力される基準電圧ＶＲ２とが比較され、反転入力端子−に入力される分圧値が基準電圧ＶＲ２より大きい場合、比較器３９からマイコン１０への供給電圧がリセットレベル（４．７Ｖ）より大きい（正常である）ことを示すＬ信号がリセット信号出力部３３へ出力される。
【００４７】
リセット信号出力部３３では、ＮＯＲ回路３３ａの入力端子１に第２の電圧検出部３５からのＬ信号が入力されるので、ＮＯＲ回路３３ａの入力端子２にＷＤＴ監視部３２からのＬ信号が入力されると、ＮＯＲ回路３３ａから異常がないことを示すＨ信号が出力される。一方、ＮＯＲ回路３３ａの入力端子２にＷＤＴ監視部３２からのＨ信号が入力されると、ＮＯＲ回路３３ａから異常があることを示すＬ信号（すなわちリセット信号）がマイコン１０へ出力される。
【００４８】
また一方、第２の電圧検出部３５の比較器３９の反転入力端子−に入力される分圧値が非反転入力端子＋に入力される基準電圧ＶＲ２以下であれば、比較器３９からは、マイコン１０へ供給される電源電圧がリセットレベル（４．７Ｖ）以下に低下したことを示すＨ信号がリセット信号出力部３３へ出力される。
【００４９】
リセット信号出力部３３では、ＮＯＲ回路３３ａの入力端子１に第２の電圧検出部３５からのＨ信号が入力されるので、ＮＯＲ回路３３ａの入力端子２に入力されるＷＤＴ監視部３２から出力される信号にかかわらず、ＮＯＲ回路３３ａからは、異常であることを示すＬ信号（すなわちリセット信号）がマイコン１０へ出力される。
【００５０】
上記実施の形態（１）に係る電圧監視回路３１が組み込まれたマイコン監視装置３０によれば、動作モード検知部３７で検知された動作モード設定切替スイッチ１２の状態に基づいて、該状態に対応する監視電圧が設定された第１の電圧検知部３４又は第２の電圧検知部３５を選択するように切り替えられるので、動作モード設定切替スイッチ１２の状態に応じた監視電圧（マイコン１０が有する各動作モードに対応した監視電圧）でマイコン１０へ供給される電源電圧の異常を監視することができ、他の動作モードの監視電圧の影響を受けることなく適正な監視電圧で電源電圧の異常を監視することができる。
【００５１】
また、第１の電圧検知部３４が通常動作モードに、第２の電圧検知部３５が書換動作モードに対応してリセットレベル（監視電圧）が設定されているので、通常動作モードと書換動作モードとの動作電圧の違いが考慮された電源電圧の監視を行うことができる。すなわち通常動作モードにおいては、該通常動作モードに対応した電源電圧の監視を行うことができ、書換動作モードにおいては、該書換動作モードに対応した電源電圧の監視を行うことができる。
【００５２】
また、第１又は第２の電圧検知部３４、３５から異常検知信号をリセット信号出力部３３へ出力することができ、各動作モードにおける電源電圧の異常時にマイコン１０にリセットをかけることができ、各動作モードにおける正常状態へ自動的に復帰させることができる。また、他の動作モードの監視電圧の影響を受けないので、マイコン１０への無駄なリセット出力をなくすことができ、マイコン１０が行う各種制御の遅れを防止することができる。
【００５３】
なお、実施の形態（１）では、電圧監視回路３１がアナログ回路で構成されている場合について説明したが、別の実施の形態では、電圧監視回路３１の各部の機能をディジタル回路を用いて構成することもできる。
【００５４】
図３は、実施の形態（２）に係る電圧監視回路が組み込まれたマイコン監視装置及びその周辺回路の概略構成を示したブロック図である。但し、実施の形態（２）に係る電圧監視回路３１Ａの構成については、第３の電圧検知部４０と監視電圧切替手段４１とを除いて図１に示した電圧監視回路３１と略同様であるため、ここでは異なる機能を有する第３の電圧検知部４０と監視電圧切替手段４１とには異なる符号を付し、その他の同一機能を有する構成部品には同一符号を付して、その説明を省略する。
【００５５】
実施の形態（２）に係る電圧監視回路３１Ａと、実施の形態（１）に係る電圧監視回路３１とが相違するのは、実施の形態（１）に係る電圧監視回路３１は、通常動作モードと書換動作モードとに対応する第１、第２の電圧検知部３４、３５を備え、電圧検知部切替手段３６が、検出された動作モードに対応する第１又は第２の電圧検知部（３４又は３５）へ切り替えるようになっているのに対し、実施の形態（２）に係る電圧監視回路３１Ａは、１つの電圧検知部（第３の電圧検知部４０）で構成されており、監視電圧切替手段４１が、第３の電圧検知部４０を構成する分圧抵抗値を動作モードに対応させて切り替えるようになっている点である。以下、相違点のみ説明することとする。
【００５６】
図４は、実施の形態（２）に係る電圧監視回路３１Ａが組み込まれたマイコン監視装置３０Ａにおける電圧監視回路３１Ａの回路構成をより具体的に示した回路図である。
電圧監視回路３１Ａは、第３の電圧検知部４０と、監視電圧切替手段４１と、動作モード検知部３７と、動作モード設定切替スイッチ１２とを含んで構成されている。第３の電圧検知部４０は、電圧モニタラインＬ１とアースとの間に直列に接続された分圧用の抵抗Ｒ５、Ｒ６、Ｒ７と、比較器４２とを含んで構成されており、比較器４２の反転入力端子−は、抵抗Ｒ５、Ｒ６の接続点に接続されており、抵抗Ｒ５、Ｒ６、Ｒ７により分圧された電圧が印加されるようになっている。一方、比較器４２の非反転入力端子＋は、基準電源ＶＲ３に接続されており、比較器４２の出力は、リセット信号出力部３３へ出力されるようになっている。
【００５７】
また、動作モード検知部３７により検知された動作モードに基づいて、第３の電圧検知部４０の監視電圧を切り替える監視電圧切替手段４１は、検出された動作モードに対応するように第３の電圧検知部４０を構成する分圧抵抗Ｒ５、Ｒ６、Ｒ７による分圧値を切り替える分圧抵抗切替スイッチ４１ａを含んで構成されている。
【００５８】
監視電圧切替手段４１は、動作モード検知部３７から出力された通常動作モード検知信号を検知すると、分圧抵抗切替スイッチ４１ａをＯＦＦに切り替え、第３の電圧検知部４０における抵抗Ｒ５と、抵抗Ｒ６及びＲ７とによる分圧値が比較器４２の反転入力端子−へ入力される。一方、動作モード検知部３７から出力された書換動作モード検知信号を検知すると、分圧抵抗切替スイッチ４１ａをＯＮに切り替え、第３の電圧検知部４０における抵抗Ｒ５と抵抗Ｒ７とによる分圧値が比較器４２の反転入力端子−へ入力されるようになっている。
【００５９】
第３の電圧検知部４０におけるリセットレベルは、抵抗Ｒ５と、抵抗Ｒ６及びＲ７とによる分圧値が反転入力端子−へ入力される場合（すなわち、通常動作モードの場合）、通常動作モードでの最低動作電圧（３．５Ｖ）より少し高め（３．７Ｖ程度）に設定される一方、抵抗Ｒ５と抵抗Ｒ７とによる分圧値が反転入力端子−へ入力される場合（すなわち、書換動作モードの場合）、書換動作モードでの最低動作電圧（４．５Ｖ）より少し高め（４．７Ｖ程度）に設定されるようになっており、上記条件を満たすように抵抗Ｒ５、Ｒ６、Ｒ７、及び基準電圧ＶＲ３が設定されている。
【００６０】
次に、実施の形態（２）に係る電圧監視回路３１Ａが組み込まれたマイコン監視装置３０Ａにおける電圧監視動作を説明する。
まず、動作モード設定切替スイッチ１２のＯＦＦ時には、Ｈ信号がマイコン１０と動作モード検知部３７とに出力される。動作モード検知部３７では、前記Ｈ信号に基づいて通常動作モードであることを検知し、通常動作モード検知信号を監視電圧切替手段４１へ出力する。
【００６１】
監視電圧切替手段４１では、動作モード検知部３７からの通常動作モード検知信号に基づいて、分圧抵抗切替スイッチ４１ａがＯＦＦに切り替えられる。第３の電圧検知部４０では、抵抗Ｒ５と、抵抗Ｒ６及びＲ７とによる分圧値が比較器４２の反転入力端子−へ入力され、通常動作モードに対応したマイコン１０へ供給される電源電圧の監視が行われる。
【００６２】
比較器４２では、反転入力端子−に入力される分圧値と、非反転入力端子＋に入力される基準電圧ＶＲ３とが比較され、反転入力端子−に入力される分圧値が基準電圧ＶＲ３より大きい場合、マイコン１０への供給電圧がリセットレベル（３．７Ｖ）より大きい（正常である）ことを示すＬ信号がリセット信号出力部３３へ出力される。
【００６３】
リセット信号出力部３３では、ＮＯＲ回路３３ａの入力端子１に第３の電圧検知部４０からのＬ信号が入力されるので、ＮＯＲ回路３３ａの入力端子２にＷＤＴ監視部３２からのＬ信号が入力されると、ＮＯＲ回路３３ａから異常がないことを示すＨ信号がマイコン１０へ出力される。一方、ＮＯＲ回路３３ａの入力端子２にＷＤＴ監視部３２からのＨ信号が入力されると、ＮＯＲ回路３３ａから異常があることを示すＬ信号（すなわちリセット信号）がマイコン１０へ出力される。
【００６４】
また一方、第３の電圧検知部４０の比較器４２の反転入力端子−に入力される分圧値が非反転入力端子＋に入力される基準電圧ＶＲ３以下である場合、比較器４２からは、マイコン１０へ供給される電源電圧がリセットレベル（３．７Ｖ）以下に低下した（異常である）ことを示すＨ信号がリセット信号出力部３３へ出力される。
【００６５】
リセット信号出力部３３では、ＮＯＲ回路３３ａの入力端子１に第３の電圧検知部４０からのＨ信号が入力されるので、ＮＯＲ回路３３ａの入力端子２に入力されるＷＤＴ監視部３２から出力される信号にかかわらず、ＮＯＲ回路３３ａからは、異常であることを示すＬ信号（すなわちリセット信号）がマイコン１０へ出力される。
【００６６】
動作モード設定切替スイッチ１２のＯＮ時には、Ｌ信号がマイコン１０と動作モード検知部３７とに出力される。動作モード検知部３７では、前記Ｌ信号に基づいて書換動作モードであることを検知し、書換動作モード検知信号を監視電圧切替手段４１へ出力する。
【００６７】
監視電圧切替手段４１では、動作モード検知部３７からの書換動作モード検知信号に基づいて、分圧抵抗切替スイッチ４１ａがＯＮに切り替えられる。第３の電圧検知部４０では、抵抗Ｒ５と、抵抗Ｒ７とによる分圧値が比較器４２の反転入力端子−へ入力され、書換動作モードに対応したマイコン１０へ供給される電源電圧の監視が行われる。
【００６８】
比較器４２では、反転入力端子−に入力される分圧値と、非反転入力端子＋に入力される基準電圧ＶＲ３とが比較され、反転入力端子−に入力される分圧値が基準電圧ＶＲ３より大きい場合、マイコン１０への供給電圧がリセットレベル（４．７Ｖ）より大きい（正常である）ことを示すＬ信号がリセット信号出力部３３へ出力される。
【００６９】
リセット信号出力部３３では、ＮＯＲ回路３３ａの入力端子１に第３の電圧検知部４０からのＬ信号が入力されるので、ＮＯＲ回路３３ａの入力端子２にＷＤＴ監視部３２からのＬ信号が入力されると、ＮＯＲ回路３３ａから異常がないことを示すＨ信号が出力される。一方、ＮＯＲ回路３３ａの入力端子２にＷＤＴ監視部３２からのＨ信号が入力されると、ＮＯＲ回路３３ａから異常があることを示すＬ信号（すなわちリセット信号）が出力される。
【００７０】
また一方、第３の電圧検知部４０の比較器４２の反転入力端子−に入力される分圧値が非反転入力端子＋に入力される基準電圧ＶＲ３以下である場合、比較器４２からは、マイコン１０への供給電圧がリセットレベル（４．７Ｖ）以下に低下した（異常である）ことを示すＨ信号がリセット信号出力部３３へ出力される。
【００７１】
リセット信号出力部３３では、ＮＯＲ回路３３ａの入力端子１に第３の電圧検知部４０からのＨ信号が入力されるので、ＮＯＲ回路３３ａの入力端子２に入力されるＷＤＴ監視部３２から出力される信号にかかわらず、ＮＯＲ回路３３ａからは、異常であることを示すＬ信号（すなわちリセット信号）が出力される。
【００７２】
上記実施の形態（２）に係る電圧監視回路３１Ａが組み込まれたマイコン監視装置３０Ａによれば、動作モード検知部３７により検知された動作モード設定切替スイッチ１２の状態に基づいて、第３の電圧検知部４０の監視電圧が切り替えられるので、動作モード設定切替スイッチ１２の状態に応じた監視電圧でマイコン１０へ供給される電源電圧の異常を監視することができ、他の動作モードにおける監視電圧の影響を受けることなく適正な監視電圧で電源電圧の異常を監視することができる。
【００７３】
また、監視電圧切替手段４１による分圧抵抗の抵抗値の切り替えにより、第３の電圧検知部４０での監視電圧の切替を行うことができる。したがって、電圧監視回路３１Ａの部品数をさらに削減することができ、装置構成を一層簡略化することができる。
【図面の簡単な説明】
【図１】本発明の実施の形態（１）に係る電圧監視回路が組み込まれたマイコン監視装置及びその周辺部分の概略構成を示したブロック図である。
【図２】実施の形態（１）に係る電圧監視回路が組み込まれたマイコン監視装置における電圧監視回路の回路構成をより具体的に示した回路図である。
【図３】実施の形態（２）に係る電圧監視回路が組み込まれたマイコン監視装置及びその周辺部分の概略構成を示したブロック図である。
【図４】実施の形態（２）に係る電圧監視回路が組み込まれたマイコン監視装置における電圧監視回路の回路構成をより具体的に示した回路図である。
【図５】従来のマイコン監視装置及びその周辺部分の概略構成を示したブロック図である。
【符号の説明】
１２  動作モード設定切替スイッチ
３１  ３１Ａ  電圧監視回路
３４  第１の電圧検知部
３５  第２の電圧検知部
３６  電圧検知部切替手段
３７  動作モード検出部
【図１】
2005030818.tif 000003
【図２】
2005030818.tif 000004
【図３】
2005030818.tif 000005
【図４】
2005030818.tif 000006
【図５】
2005030818.tif 000007